(57)【特許請求の範囲】
【請求項１】
打球発射待機部に供給された打球を遊技部に発射させるための電気的打球発射手段と、遊技者が一定の範囲内において回動操作可能なハンドル体が設けられた操作部と、前記操作部内に設けられ前記ハンドル体の回動操作と連動し前記電気的打球発射手段による前記打球の飛び強度を電気的に可変調整する可変抵抗器と、を備えてなるパチンコ遊技機において、
前記操作部内に、前記可変抵抗器における初期位置の抵抗値を前記操作部の前面に開設された差込口を介して前記パチンコ遊技機の前面側から任意に変更し得る調整手段を備え、
前記調整手段は、前記ハンドル体中央部の軸筒部に遊嵌される前記可変抵抗器の調整軸と、前記調整軸に設けられ該調整軸と一体となって回動しかつ所定角度に亘り凹凸状の噛合部が設けられる角度設定部と、前記ハンドル体に設けられ前記噛合部に係脱自在に係合する嵌入凸部と、を有し、
常態では前記噛合部と前記嵌入凸部とが係合して前記ハンドル体の回動操作と共に前記調整軸が回動し、前記可変抵抗器の初期位置の抵抗値を調整するときは前記ハンドル体を固定したまま前記角度設定部を回動させることにより前記嵌入凸部が前記噛合部面上をスライドするようにしたことを特徴とするパチンコ遊技機。
【発明の詳細な説明】
【０００１】
【発明の属する技術分野】
本発明は、打球発射部に供給された打球の飛びを均一にすると共にその強度をパチンコ遊技機の前面側から容易に調節することができるようにしたパチンコ遊技機に関するものである。
【０００２】
【従来の技術】
従来、電動式パチンコ遊技機にあっては、打球を発射するに例えばロータリーソレノイドを使用しているものが有る。このロータリーソレノイドは打球の飛び強度を調整する必要が有るが、その飛び強度は、遊技者が操作する操作部内にロータリーソレノイドと電気的に接続されている可変抵抗器の抵抗値を変えることにより行なわれている。即ち、遊技者が操作部のハンドル体を操作すると、可変抵抗器の抵抗値が変わりロータリーソレノイドに流れる駆動電流が制御され、これにより飛び強度が調整されるように構成されている。
【０００３】
ところで、前記可変抵抗器は操作部の構成（図２参照）により始めから回動できる範囲が固定され、初期に固定された位置で可動できる範囲でしか可変調整することができないように設定されているところ、各パチンコ遊技機では前記初期位置に多少のばらつきが有り、これがため各パチンコ遊技機によっては同じハンドル体の操作によっても打球の飛びが均一でないという事態が生じていた。そこで、前記打球の飛びを常に均一にするためのハンドル体の初期位置における飛び調整用可変抵抗器を別途設けて初期位置での抵抗値を常に一定に保ち打球の飛び強度にばらつきが起きないようにしている。
【０００４】
【発明が解決しようとする課題】
しかしながら、前記可変抵抗器と飛び調整用可変抵抗器とは、電気的に相互に密接な関係が有るところ、パチンコ遊技機の出荷時やパチンコホールでの稼動前には共に初期位置においての打球の飛び強度が各パチンコ遊技機毎に均一となるように調整する必要が有るが、可変抵抗器は操作部内、すなわちパチンコ遊技機の表側にまた飛び調整用可変抵抗器はパチンコ遊技機の裏側に夫々配設されており、特に遊技機裏面側の飛び調整用可変抵抗器は遊技機前面から容易に調整することができなかったので、これら調整作業に繁雑な手間が掛かるばかりか多くの労力と時間を費し作業性が悪かった。また、飛び調整用可変抵抗器を設ける必要が有ることから、余分な回路設計を強いられしかも回路が複雑化して不安定となり、引いては製作コストが高くなるという課題が有った。これは一偏に前記可変抵抗器の初期位置が現状では固定され可変できないことによる。
【０００５】
そこで、本発明は上記課題を解決すべくなされたもので、可変抵抗器の抵抗値の使用範囲を可変できるようにすることにより、ハンドル体の初期位置における飛び調整用可変抵抗器を不要にして打球の飛び強度の調整作業の迅速化・簡素化を図り、更には製作コストの低廉を可能としたパチンコ遊技機を提供することを目的とするものである。
【０００６】
【課題を解決するための手段】
かかる目的を達成するため、本発明に係るパチンコ遊技機は、打球発射待機部に供給された打球を遊技部に発射させるための電気的打球発射手段と、遊技者が一定の範囲内において回動操作可能なハンドル体が設けられた操作部と、前記操作部内に設けられ前記ハンドル体の回動操作と連動し前記電気的打球発射手段による前記打球の飛び強度を電気的に可変調整する可変抵抗器と、を備えてなるパチンコ遊技機において、前記操作部内に、前記可変抵抗器における初期位置の抵抗値を前記操作部の前面に開設された差込口を介して前記パチンコ遊技機の前面側から任意に変更し得る調整手段を備えてなる。
【０００７】
このように、可変抵抗器の抵抗値の使用範囲を自由に変更できるようにしたので、これのみで抵抗値の初期位置、すなわち打球の飛び強度をパチンコ遊技機毎に均一とすることができ、従来の飛び調整用可変抵抗器が不要となる。この結果、調整作業の迅速化・簡素化が図られ、更には製作コストも低廉となし得る。また、操作部内に該操作部の外側から前記使用範囲を自由に可変調整できる調整手段を設けたので、パチンコ遊技機の出荷時やパチンコホールでの稼動前の打球の飛び強度の調整が容易に行なえる。
【０００８】
前記調整手段としては、前記ハンドル体中央部の軸筒部に遊嵌される可変抵抗器の調整軸と、該調整軸に設けられ該調整軸と一体となって回動しかつ所定角度に亘り凹凸状の噛合部が設けられる角度設定部と、前記ハンドル体に設けられ噛合部に係脱自在に係合する嵌入凸部と、を有する。そして、常態では噛合部と嵌入凸部とが係合してハンドル体の回動操作と共に調整軸が回動し、可変抵抗器の初期位置の抵抗値を調整するときはハンドル体を固定したまま角度設定部を回動させることにより嵌入凸部が噛合部面上をスライドするようにした。
本発明に使用される電気的打球発射手段としては、直線的に進退動するロッドの先端で打球を発射するタイプのソレノイド、または打球杆を所定角度回動して打球を発射するタイプのロータリーソレノイドなどが有り、電気的に駆動させるものであれば他のものでも良い。
【０００９】
【発明の実施の形態】
以下、本発明に係るパチンコ遊技機の実施の形態を図面に基づき説明する。図１は本発明が適用されるパチンコ遊技機の正面図である。図中、１は機枠、２はその前面に開閉自在に装着される前面枠である。該前面枠２は方形状の窓孔３にガラス板４を嵌め込んだガラス扉枠５及び前面板６が開閉自在に装着される。７は前面板６の前面に装着され、後記する打球発射待機部１５に供給される打球を貯留するための打球供給皿である。
【００１０】
前記前面枠２の後側に遊技盤８が配設される。該遊技盤８の前面には前記窓孔３に臨むようにして外レール９と内レール１０とで囲まれる遊技部８ａが形成される。該遊技部８ａには、ほぼ中央に可変表示装置１１、始動入賞口１２、大型の入賞装置１３などの各種の盤面部品が装着されている。また、外レール９の始端側であって遊技盤８下方前面に発射レール１４が敷設され、打球発射待機部１５の後端外側に該打球発射待機部１５に１個ずつ供給される打球を前記遊技部８ａへ弾発的に発射する電気的打球発射手段としてのロータリーソレノイド１６が配設されている。１７は前記前面枠２の前面下部に装着され、前記打球供給皿７から溢れる余剰球を貯留するための下部球受皿、１８は操作部としてのその一側に設けられ、打球の発射力を調整するための操作部としての操作ハンドルである。
【００１１】
前記操作ハンドル１８は図２に示されるように合成樹脂材よりなり、後部に位置するプラグ状の握り部１９と、その前面を覆う椀状の蓋体２０と、これら握り部１９と蓋体２０との間に回動自在に介装される円盤状で、導電性表面処理が施されたハンドル体２１と、から概ね構成されている。操作ハンドル１８内には打球の飛び強度を電気的に可変する可変抵抗器２２が配設されると共に前記ハンドル体２１の回転範囲に対応する前記可変抵抗器２２の抵抗値の使用範囲を遊技機前面側から自由に可変調整できる調整手段を設けている。
【００１２】
前記握り部１９は、配線の挿通孔を兼ねた角筒状の固定筒部２３を介しパチンコ遊技機に対して回動不能に固定される。２４は配線用の挿通孔である。そして、奥端中央部に可変抵抗器２２が配設されている。２５は該可変抵抗器２２を囲うようにして握り部１９の奥端に突設される複数の保持突起であり、その前端面に螺子孔２６が設けられる。２７は同じく奥端から前方へ突設され、かつ同心円状で所定位置に配設される複数の接続筒部であり、後端が開口すると共に前端に螺子挿通孔２８が開設されている。
【００１３】
２９は前記可変抵抗器２２を支持固定するための支持板であり、中央に可変抵抗器２２の抵抗値可変用の調整軸３０が挿通される支持孔３１が開設され、外周縁には前記保持突起２５の螺子孔２６と連通する螺子挿通孔３２が設けられている。そこで、図３に示されるように支持孔３１から前方へ突出する調整軸３０の螺子溝３５にワッシャ３６と共にナット３７を螺締し、各螺子挿通孔３２を介して各保持突起２５の螺子孔２６に螺子３３を締止する。これにより調整軸３０が自在に回動できるようにして可変抵抗器２２が支持板２９にしっかりと固定される。３８は切換接点を有するマイクロスイッチであって、図４に示されるように作動子３９を上にして握り部１９奥端の一側に設けられた保持突起部４０に螺子４１を締付することにより取り付けられている。
【００１４】
次に、前記ハンドル体２１は、その中央部に両端面が開口し、前記調整軸３０の先端を遊嵌する軸筒部４２が設けられ、接続筒部２７，２７，２７に対応する位置には接続筒部２７，２７，２７を挿通して案内し得る同心円弧状の２つの案内溝４３，４３が形成されている。また、ハンドル体２１の外周面に適宜間隔離して膨出される指掛部４４が複数設けられている。４５はハンドル体２１の後面であって所定位置にマイクロスイッチ３８の作動子３９に接触して後述するタイミング育成回路６６（図８参照）への出力をＯＮ・ＯＦＦする作用ピン４５が突設される。蓋体２０には、その内面に握り部１９の各接続筒部２７と連接し得る接続筒４６が後方へ突出するようにして設けられ、それら後端に螺子孔４７が穿設される。そして、図３に示されるように握り部１９の後側からその各接続筒部２７を介して蓋体２０の各接続筒４６の螺子孔４７に螺子４８を締止することにより、蓋体２０が握り部１９に一体に組み付けられる。
【００１５】
しかして、前記調整手段は次のような構成からなる。すなわち、ハンドル体２１の前側（蓋体側）であって軸筒部４２に調整軸３０の角度を設定するための角度設定部４９が嵌装される。該角度設定部４９は調整軸３０の先端が嵌入される小径の長円筒部５０と、その前面側で比較的大径の短円筒部５１とを同心円状に重ね合せて一体に成形され、更に、短円筒部５１の後端側終縁には所定幅（または所定角度）に亘り外周面に凹凸状の噛合部５２を設けたフランジ部５３が周設されている。前記長円筒部５０の内周断面は前記調整軸３０先端と同じく断面半円形をなし、該調整軸３０が嵌入することにより角度設定部４９と調整軸３０とが一体となって回動するようになっており、角度設定部４９を右・左に回動することにより可変抵抗器２２の抵抗値の使用範囲が変化し調整できるようになっている。短円筒部５１の前面中央部５１ａにはドライバーなどの先端が係合する操作溝５４が設けられ、該操作溝５４は前記蓋体２０の中央に開設された差込口５５に臨み、図３に示されるように操作ハンドル１８の前側から角度設定部４９が自在に回動できるようになっている。
【００１６】
５６は前記噛合部５２と係脱自在に係合して可変抵抗器２２の初期位置の抵抗値を維持固定するためのラチェットである。該ラチェット５６は弾力性を有する合成樹脂により成形され、上端部に螺子挿通孔５７が設けられると共に下端部に前記噛合部５２の凹部に嵌入する嵌入凸部５８が設けられる。そして、図５に示されるように前記ハンドル体２１の前面上部に設けられる突起５９の螺子孔６０に螺子挿通孔５７を介して螺子６１を締め付けることにより取り付けられる。また、噛合部５２とラチェット５６との係合が無用に外れないように、フランジ部５３の裏面側に介装ピン５３ａが突設され、ハンドル体２１側には前記係合が外れない範囲で介装ピン５３ａが当接してその右または左への回動動作を規制するストッパー片２１ａ，２１ａが突設されている。前記軸筒部４２にはコイルスプリング６２が嵌装され、図５に示されるようにその一端６２ａがハンドル体２１前面の掛止部６３に係止され、他端６２ｂが前記握り部１９の近接する接続筒部２７，２７間に位置する取付用の突起６４に螺子６５を挿通することによりハンドル体２１のタッチ入力をタイミング育成回路６６（図８参照）へ出力するタッチ配線６９の一端の端子部７０と共に止着されており、ハンドル体２１を常に反時計方向へ付勢している。
【００１７】
本発明に係るパチンコ遊技機は上記構成よりなり、次にその使用方法について説明する。図８は打球発射制御系の概略回路図であり、遊技者が操作ハンドル１８を握りハンドル体２１に接触することによりタッチ入力がＯＮになる。その後該ハンドル体２１を図５において時計方向に所定角度回動させることにより作動子３９が作用ピン４５から開放されて上動しマイクロスイッチ３８がオンして起動する。そして、ハンドル体２１の回転に伴い調整軸３０が所定角度回動して抵抗値を可変させ、それに応じて出力を変化させる。
【００１８】
前記タッチ入力とマイクロスイッチ３８からの信号は制御回路７１のタイミング育成回路６６を介してモータ駆動タイミング信号として出力される。その後該出力信号をＡＮＤ回路６７と電圧比較回路６８双方に送る。すなわち、ハンドル体２１に接触し更に該ハンドル体２１を回動することでタッチ入力及びマイクロスイッチ入力が検出され、双方の条件が満たされた時点でタイミング育成回路６６が起動し、その出力がＡＮＤ回路６７に入力されると同時に、ハンドル体２１の回転角度によって可変抵抗器２２が作り出す基準電圧と電流検出用抵抗７２が作り出す電圧との比較により、電圧比較回路６８の出力がＡＮＤ回路６７に入力されＡＮＤ回路６７から駆動用トランジスタに出力されてロータリーソレノイド１６が駆動する。このようにして、前記可変抵抗器２２の抵抗値を可変することにより出力信号が増減し、ロータリーソレノイド１６による打球の飛び強度が調節される。
【００１９】
そこで、メーカーからパチンコ遊技機を出荷する際、各パチンコ遊技機について前記可変抵抗器２２の抵抗値の使用範囲、すなわち初期位置の抵抗値をすべて正規の飛び状態が確保されるように決める必要が有るが、これに対しては操作ハンドル１８の前側から差込口５５にドライバーを差し込みその先端を操作溝５４に嵌入してハンドル体２１を手などで持って固定しておき時計回りまたは反時計回りに適量回動させる。すなわち、ロータリーソレノイド１６による打球の飛び強度が弱いパチンコ遊技機にあっては、図６に示されるように角度設定部４９を時計回り方向へ必要量回動させる。これに伴いラチェット５６の嵌入凸部５８がその弾発力に抗して噛合部５２をスライドし所定位置で停止して角度設定部４９を再び固定する。また、打球の飛び強度が強いパチンコ遊技機にあっては、図７に示されるように角度設定部４９を反時計回り方向回動させて、前記と同様にして行う。
【００２０】
このように、打球の飛び強度の調整が操作ハンドル１８の外側、すなわちパチンコ遊技機の前面側から自在に行なえるので、その作業が容易となりしかも簡単かつ迅速に行なえる。これは、パチンコホールであっても同様であり、例えば長期に亘り稼動した結果、可変抵抗器２２の初期位置の抵抗値が狂ってきたときは、操作ハンドル１８の前側から角度設定部４９を必要量回動して調整してやれば良い。
なお、本発明における調整手段は一実施の形態であって、他の構成の調整手段を用いてもよいこと勿論である。
【００２１】
【発明の効果】
以上述べたように本発明に係るパチンコ遊技機は、打球を発射させる電気的打球発射手段と、遊技者が一定の範囲内において回動操作可能なハンドル体が設けられた操作部と、該操作部内に設けられ前記ハンドル体の回動操作と連動し前記電気的打球発射手段による前記打球の飛び強度を電気的に可変調整する可変抵抗器と、を備えてなるパチンコ遊技機において、前記操作部内に、前記可変抵抗器における初期位置の抵抗値を前記操作部の前面に開設された差込口を介して前記パチンコ遊技機の前面側から任意に変更し得る調整手段を備えるようにしたので、従来の如く操作ハンドルの初期位置における飛び調整用可変抵抗器が不要となり、この分余分な回路設計をしなくて済みしかも回路が簡素化され安定し、引いては製作が容易となりまたコストも低廉となし得る。
また、調整手段をパチンコ遊技機の前面側から操作できるようにしたので、これら調整作業が簡単に行うことができ、前述のように飛び調整用可変抵抗器が不要であることとも相俟ち、作業の簡素化・迅速化が図られ、このため作業性の向上に寄与できるという有益な効果を奏する。
【図面の簡単な説明】
【図１】  本発明が適用されるパチンコ遊技機の正面図。
【図２】  操作部の分解斜視図。
【図３】  同側面断面図。
【図４】  図３のＸ−Ｘ線断面図。
【図５】  図３のＹ−Ｙ線断面図。
【図６】  同作用図。
【図７】  同作用図。
【図８】  打球発射制御系の概略回路図。
【符号の説明】
８ａ              遊技部
１５              打球発射待機部
１６              電気的打球発射手段（ロータリーソレノイド）
１８              操作部（操作ハンドル）
２１              ハンドル体
２２              可変抵抗器
３０              調整手段（調整軸）
４２              軸筒部
４９              調整手段（角度設定部）
５２              噛合部
５５              差込口
５６              調整手段（ラチェット）
５８              嵌入凸部
【図１】
0004404401.tif 000002
【図２】
0004404401.tif 000003
【図３】
0004404401.tif 000004
【図４】
0004404401.tif 000005
【図５】
0004404401.tif 000006
【図６】
0004404401.tif 000007
【図７】
0004404401.tif 000008
【図８】
0004404401.tif 000009